(57)【要約】  糸消費デバイス（１５）と伴に使用する少なくとも１本の糸（２０）のインライン処理用の処理ユニット（１００）が提供される。【選択図】図３ｂ
2019529723.tif 000002
【特許請求の範囲】
【請求項１】
糸消費デバイス（１５）と伴に使用する少なくとも１本の糸（２０）のインライン処理用の処理ユニット（１００）であって、前記処理ユニット（１００）は、前記少なくとも１本の糸（２０）に対し異なる位置に配置された複数のノズル（１５２ａ−ｇ）を備え、前記少なくとも１本の糸（２０）は使用時に動いており、各ノズルは、作動された場合に少なくとも１本の糸（２０）上に１つ以上のコーティング物質を分配するよう構成され、ここで前記処理ユニット（１００）はスタンドアロンユニットとして設けられる、処理ユニット。
【請求項２】
前記ノズル（１５２ａ−ｇ）の反対側で、前記給糸方向に対応する方向で配置された第１の糸ガイドデバイスと第２の糸ガイドデバイス（１４０、１６０）とをさらに備える、請求項１に記載の処理ユニット（１００）。
【請求項３】
少なくとも１つの支持機構（１１０）をさらに備える、請求項１または２に記載の処理ユニット（１００）。
【請求項４】
前記支持機構（１１０）には、隣接する耐力構造体（３０）に前記処理ユニット（１１０）を取り付ける手段が設けられている、請求項３に記載の処理ユニット（１００）。
【請求項５】
前記支持機構（１１０）は、前記処理ユニット（１００）が前記糸消費デバイス（１５）に関連して移動可能であるよう調整可能である、請求項４に記載の処理ユニット（１００）。
【請求項６】
少なくとも複数のノズル（１５２ａ−ｇ）を囲むハウジング（１０５）をさらに備える、請求項１〜５のいずれか一項に記載の処理ユニット（１００）。
【請求項７】
前記ハウジング（１０５）は処理ユニット全体用の防護カバーを形成する、請求項６に記載の処理ユニット（１００）。
【請求項８】
前記ハウジング（１０５）は、前記糸（２０）が前記処理ユニット（１００）を通して送られた場合に水平方向に少なくとも部分的に延在するように、少なくとも部分的に、糸消費デバイス（１）と接続された場合に水平方向に延在する、請求項６または７に記載の処理ユニット（１００）。
【請求項９】
前記ハウジング（１０５）はＬ字形である、請求項６〜８のいずれか一項に記載の処理ユニット（１００）。
【請求項１０】
前記糸（２０）上に１つ以上のコーティング物質を固定する少なくとも１つの固定デバイス（１７０）をさらに備える、請求項１〜９のいずれか一項に記載の処理ユニット（１００）。
【請求項１１】
少なくとも１つの給糸デバイスをさらに備える、請求項１〜１０のいずれか一項に記載の処理ユニット（１００）。
【請求項１２】
少なくとも前記複数のノズルの動作を制御する制御ユニット（１９０）をさらに備える、請求項１〜１１のいずれか一項に記載の処理ユニット（１００）。
【請求項１３】
グラフィカルユーザインタフェイスを提供するよう構成されたディスプレイ（１９５）をさらに備える、請求項１２に記載の処理ユニット（１００）。
【請求項１４】
前記ディスプレイ（１９５）は、前記グラフィカルユーザインタフェイスを介してユーザ入力に基づいて前記複数のノズル（１５２ａ−ｇ）の動作を制御できるように、前記制御ユニット（１９０）と通信するよう構成される、請求項１３に記載の処理ユニット（１００）。
【請求項１５】
前記ディスプレイ（１９５）は、前記処理ユニット（１００）の端部に設けられる、請求項１３または１４に記載の処理ユニット（１００）。
【請求項１６】
糸消費デバイス（１５）と少なくとも１つの糸処理ユニット（１００）を備える、請求項１〜１５のいずれか一項に記載の糸消費ユニット。
【請求項１７】
前記少なくとも１つの糸処理ユニット（１００）が前記糸消費デバイス（１５）の上で少なくとも部分的に配置される、請求項１６に記載の糸消費ユニット。
【請求項１８】
前記少なくとも１つの糸処理ユニット（１００）が前記糸消費デバイス（１５）上に配置される、請求項１６に記載の糸消費ユニット。
【発明の詳細な説明】
【技術分野】
【０００１】
本発明は刺繍機等の糸消費デバイスの技術分野に関する。本発明は特に、そのような糸消費デバイスと関連して使用される処理ユニットに関する。
【背景技術】
【０００２】
糸にある処理を施すよう設計されたインライン装置を有する、刺繍機等の糸消費デバイスを提供することが示唆されている。そのようなインライン装置は、例えば糸を着色するため使用され得、ここで、刺繍機を使用して多色パターンを生産する場合に、多色ノズルは複数の前着色した糸の現在の使用に取って代わり得る。
【０００３】
ノズルが通過する糸を着色するよう配置される場合、ノズルと使用中の糸との間の高精度のアラインメントを有することが重要である。しかしながら糸消費デバイス、特に刺繍機は刺繍動作中、特に刺繍される織物を移送する可動ステージにより、通常、激しい振動を受けやすい。したがって、既存の糸消費デバイスを使用して所望のインライン処理を達成することが難しいことが証明される。
【発明の概要】
【発明が解決しようとする課題】
【０００４】
これを考慮すると、前記のデメリットに対処する、糸のインライン処理用の改善したシステムが必要である。
【０００５】
本発明の目的は、減少した処理品質に関連する前記の問題を生じることなく、既存の糸消費デバイスと共に使用されることが可能な処理ユニットを提供することである。
【課題を解決するための手段】
【０００６】
第１の態様によると、糸消費デバイスを用いた使用のための処理ユニットが提供される。処理ユニットは、少なくとも１本の糸のインライン処理を提供するよう構成され、また、少なくとも１本の糸に関連して異なった位置に配置された複数のノズルを備える。前記少なくとも１本の糸は使用中に動いており、各ノズルは作動された場合に少なくとも１本の糸に１つ以上のコーティング物質を施すよう構成され、ここで、前記処理ユニットはスタンドアロンユニットとして提供される。
【０００７】
処理ユニットは、第１の糸ガイドデバイスと、ノズルの反対側に配置された第２の糸ガイドデバイスとを給糸方向に対応する方向でさらに備え得る。
【０００８】
処理ユニットは少なくとも１つの支持機構をさらに備え得る。支持機構には、前記処理ユニットを隣接する耐力構造体に取り付ける手段が設けられる。
【０００９】
一実施形態では、支持機構は、処理ユニットが前記糸消費デバイスに関連して移動可能であるように調整可能である。
【００１０】
処理ユニットは、少なくとも複数のノズルを囲むハウジングをさらに備え得る。
【００１１】
ハウジングは処理ユニット全体用の防護カバーを形成し得る。
【００１２】
一実施形態では、ハウジングは、糸が処理ユニットを通して送られた場合に水平方向に少なくとも部分的に延在するように、少なくとも部分的に、糸消費デバイスと接続された場合に水平方向に延在する。
【００１３】
ハウジングはＬ字形であり得る。
【００１４】
処理ユニットは前記糸上に１つ以上のコーティング物質を固定する少なくとも１つの固定デバイスをさらに備え得る。
【００１５】
一実施形態では、処理ユニットは少なくとも１つの給糸デバイスをさらに備える。
【００１６】
処理ユニットは、少なくとも前記複数のノズルの動作を制御する制御ユニットをさらに備え得る。
【００１７】
一実施形態では、処理ユニットはグラフィカルユーザインタフェイスを提供するよう構成されたディスプレイをさらに備える。
【００１８】
ディスプレイは、前記グラフィカルユーザインタフェイスを介してユーザ入力に基づいて前記複数のノズルの動作を制御できるように、前記制御ユニットと通信するよう構成され得る。
【００１９】
ディスプレイは、前記処理ユニットの端部に設けられ得る。
【００２０】
第２の態様によると、糸消費ユニットが提供される。糸消費ユニットは、第１の態様による糸消費デバイスと少なくとも１つの糸処理ユニットとを備える。
【００２１】
前記糸消費デバイスの上で少なくとも部分的に、または、前記糸消費デバイス上に、少なくとも１つの糸処理ユニットが配置され得る。
【００２２】
（定義）
ここで「糸消費デバイス」とは、使用中に糸を消費する任意の装置である。それは例えば、刺繍機、織機、ミシン、編み機、表面処理または表面被覆、または、染色等の糸を物質に曝すことを含む他の任意のプロセスの利益を受け得る、他の任意の糸消費装置であり得る。
【００２３】
ここで「スタンドアロン」とは、関連する作動機器、すなわち関連する糸消費デバイスとの関係を表す用語であり、スタンドアロンデバイスまたはスタンドアロンユニットと、当該デバイスまたはユニットの所望の機能性を可能にするその周辺の作動機器との間に本質的な機械的結合が無いことを意味する。
【００２４】
ここで「ハウジング」とは、任意の支持構造物であり、その中に備えるその構成要素用の必要な取り付け手段を提供する支持構造物である。したがって、ハウジングは必ずしも周囲エンクロージャを形成するのではなく、むしろ支持体を形成し得る。
【００２５】
ここで「処理」とは、糸のプロパティの変化を生じるよう設計された任意のプロセスである。そのようなプロセスは着色、湿潤、潤滑、洗浄、固定、加熱、硬化等を含むが、これらに限定されない。
【００２６】
ここで「糸」とは、可撓性のある細長い部材または細長い基板であり、幅方向と高さ方向とにおいて薄く、本明細書に記載されたシステムのいかなる部品の縦方向延長部よりも、ならびに、その幅寸法と高さ寸法よりもはるかに大きい、縦方向延長部を有する。典型的には、糸は一緒に束ねられ、または撚り合わせた複数の撚りから成り得る。したがって、糸の用語は、ガラス繊維、羊毛、綿、またはポリマー、金属、または例えば羊毛、綿、ポリマーまたは金属の混合物等の合成物質等の様々な異種材料から形成されるヤーン、ワイヤ、撚り糸、フィラメント等を含む。
【００２７】
ここで、撚りとは、糸の部分を形成する可撓性部材である。典型的には、撚りは一緒に撚り合わせられるいくつかのフィラメントから成る。均衡の取れた糸、すなわち、キンクのない糸または非常に少ないキンクを有する糸を形成するため、撚りとフィラメントとはいくつかのケースでは逆方向にねじることができる。
【００２８】
当該明細書の中では、上流および／または下流についてのすべての言及は、糸消費デバイスの通常動作の間の、すなわち、デバイスが動作してデバイスを通って連続的に通常の動作方向に移動する糸等の細長い基板を処理する場合の、相対位置として解釈されるべきである。したがって上流構成要素は、糸の特定の部分が、下流構成要素を通過する前にそれを通過するよう配置される。
【００２９】
発明の実施形態を本発明の以下の説明において記載するが、ここでは、発明概念をいかにして実施することができるかについての非限定的実施例を示す添付図面の参照が指示される。
【図面の簡単な説明】
【００３０】
【図１】従来技術によるシングルヘッド刺繍機の概略図である。
【図２】従来技術によるマルチヘッド刺繍機の概略図である。
【図３ａ】一実施形態による糸消費ユニットの概略図である。
【図３ｂ】一実施形態による処理ユニットを有する糸消費ユニットの概略図である。
【図４】一実施形態による処理ユニットの側面図である。
【図５】一実施形態による処理ユニットの概略図である。
【図６】一実施形態による、処理ユニットと伴に使用するノズルヘッドの概略図である。
【発明を実施するための形態】
【００３１】
始めに図１において、従来技術によるシングルヘッド刺繍機１を概略的に示す。刺繍機は、その上に機械１の作用部品が取り付けられた剛性スタンド２ａと、刺繍される織物を保持する可動ステージ２ｂとを含む。動作の間、可動ステージ２ｂは制御されて、高速にその位置をＸ方向とＹ方向で（すなわち、水平面で）変更する。作用部品とは可動ステージ２ｂと、刺繍ヘッド３と、その関連針４と、糸５ａ〜ｆと、制御インタフェイス６とである。制御インタフェイス６は、オペレータが、刺繍デザイン、保守等に関して刺繍機１の動作を制御することを可能にするディスプレイとして形成される。刺繍用に使用する糸５は、別個の糸駒５ａ〜ｆとして提供され、各糸駒５ａ〜ｆは固有の色の糸を保持する。したがって、刺繍機１の動作の制御は、どの色が使用されるかについての制御、また結果的に刺繍の間、どの糸駒が使用されるかについての制御を含む。
【００３２】
刺繍機１の正確な構成は製造者により異なり得るが、基本的な技術は当該技術分野でよく知られており、ここでは説明されない。
【００３３】
図２に、既存の刺繍機１０の別の実施例を示す。実施例の刺繍機１０はマルチヘッド刺繍機であり、これはいくつかのシングルヘッド刺繍機１が単一ステージ１２によって接続されることを意味する。動作の間、１つ以上のシングルヘッド刺繍機１は稼働し得る。図２で示すように、マルチヘッド刺繍機１０は、好ましくは一般的な可動ステージ２ｂに関連する。
【００３４】
図３ａに、糸消費ユニットの概略図を示す。糸消費ユニットは、以下に詳述するように、例えば刺繍機、織機、ミシン等の形式で糸消費デバイス１５を備え、また、処理ユニット１００を備える。
【００３５】
ここで図３ｂでは、糸消費デバイス１５を刺繍機１５として例示し、ここで処理ユニット１００を備えたシングルヘッド刺繍機として図示する。処理ユニット１００は、刺繍機１５が、従来の刺繍機に必要であるような、固有に前着色した糸の提供無しに動作することを可能にする。代わりに処理ユニット１００は、色刺繍を製造し得るよう、所定の着色パターンによる糸２０のインライン着色を提供する。したがって、処理ユニット１００は図１〜２に示した個々の糸駒５ａ〜ｆに取って代わる。
【００３６】
図３ｂに示すように、処理ユニット１００と刺繍機１５との唯一の接続は糸２０ならびに電気接続（図示せず）である。したがって処理ユニット１００は、可動ステージ２ｂと機械的接続を全く有しないスタンドアロンユニットとして提供される。
刺繍機１５から処理ユニット１００まで振動が伝達されることを防ぐため、多くの方法で、処理ユニット１００用の別個の取付が実現され得る。図３ｂに、３つの代替的な取付を示す。３つのすべての代替案に関し、処理ユニット１００に支持機構１１０が設けられる。支持機構１１０は例えば、処理ユニット１００の全体を支えるよう設計されたビームまたは他の剛性構成要素であり得る。
【００３７】
支持機構１１０が耐力構造体３０に取り付けられ得るように、またしたがって処理ユニット１００の全体が耐力構造体３０に取り付けられ得るように、支持機構１１０に、例えばねじ／ボルト、および関連する穴の形状で、取付手段（図示せず）が設けられる。耐力構造体３０は例えば、壁３０ａ、天井３０ｂ、または床３０ｃであり得る。通常、処理ユニット１００の全体の重さを支える１つの耐力構造体３０ａ〜ｃのみを使用することが必要であることに留意すべきである。任意の実施形態では、スタンドアロンの処理ユニット１００は、処理ユニット１００への振動の伝達を抑えるサスペンション機構を介して糸消費デバイス１５に取り付けられる。
【００３８】
動作の間、特にステージ２ｂの動きによって生ずる刺繍機１５の激しい振動は、これがスタンドアロンユニットとして提供されるため、処理ユニット１００に伝達されない。したがって、動作の間の糸の正確な着色が可能である。
【００３９】
図４に、処理ユニット１００の実施形態の側面図を示す。ここで処理ユニット１００に沿って延在するビームの形状の支持機構１１０は伸縮自在であり、これは処理ユニット１００が実線で示した動作位置または破線で示したサービス／保守位置に位置し得ることを意味する。支持機構１１０の伸縮自在の機能は、例えば相互に関連して摺動可能に配置される２つのビーム部材を有することにより達成され得る。処理ユニット１００が実質的に鉛直な回転軸に沿って回転され得るように、支持機構１１０は、他の実施形態において回転可能であり得る。
【００４０】
可動支持機構１１０の提供は、図２に示すように複数の処理ユニット１００がマルチヘッド刺繍機１５に接続して配置される場合に特に有利であり、これは、それが無ければサービスおよび／または保守のために処理ユニット１００にアクセスすることは困難であろうからである。
【００４１】
図５に、処理ユニット１００の様々な構成要素を示す。図５において見られるように、構成要素の過半数はハウジング１０５の内部に配置され、また、ハウジング１０５はハウジング１０５の上部で延在する支持機構１１０に接続する。ハウジング１０５は、処理された糸２０が処理ユニット１００を出る前端部から、後端部へと延在する。ハウジング１０５の後端部は、糸駒１２０を載せるため、好ましくは開いたままであり、または少なくとも開閉可能である。糸駒１２０は好ましくは、着色されていない糸、または、様々なその他の色へのインライン着色および／または、着色効果に適した任意の他の標準色の糸を保持している。
【００４２】
ハウジング１０５は、処理ユニット１００の様々な構成要素を収容するため、例えば箱状エンクロージャであり得る。箱状エンクロージャは、閉鎖空間を形成するよう形成され、または組み立てられた金属板によって形成され得る。支持機構１１０は、処理ユニット１００を支えてその支持を可能にするためだけでなく、ハウジング１０５用の取付手段を提供するためにも使用され得る。ハウジング１０５は例えば、水平方向延長部、縦方向延長部、または水平方向延長部と縦方向延長部との組み合わせを有し得る。好適な実施形態を表す図５では、ハウジング１０５はＬ字形を有する。ハウジング１０５の水平部分は第１のいくつかの構成要素を取り囲み、また、ハウジング１０５の鉛直部分は第２のいくつかの構成要素を取り囲む。ハウジング１０５のこの特別な設計は、それが無ければ相容れない２つの特徴間に非常に効率的なトレードオフを提供すること、すなわち水平方向にコンパクトなユニットを提供し、また、内側構成要素への容易なアクセスを提供することを証明した。完全に水平方向に延在するハウジング１０５が使用される場合、その水平方向延長部は比較的大きくなり、それによって鉛直方向に延在するハウジング１０５はハウジング１０５の内部の様々な構成要素にアクセスすることを困難にする。
【００４３】
糸駒１２０のすぐ下流には、処理ユニット１００を通して糸を前方に引っ張るよう構成された糸供給装置１３０が配置され得る。糸供給装置１３０はここでは詳述しないが、より一般的な理解のため、糸供給装置１３０は糸２０を受け、また送るものである。このため、糸供給装置１３０は以下でさらに説明する制御ユニット１９０によって制御される。糸供給装置１３０はまた、好ましくは、例えば、駆動ローラと、エンコーダホイールと、１つ以上の糸ガイドとによって糸の張力を制御するよう構成される。糸供給装置１３０に通過した後、糸２０は糸ガイドデバイス１４０と係合する。例えば、１つ以上のガイドローラ１４２、１４４またはその他の適切な手段の形状であり得る糸ガイドデバイス１４０は、糸２０が、放出デバイス１５０の一部を形成する１つ以上の処理ノズルと整列することを確実にしている。放出デバイス１５０は、糸２０が放出デバイス１５０を通るときに着色物質等の処理物質を糸２０上に放出するよう構成される。このため、ノズルは好ましくは、図６に関連してさらに説明するように、糸２０の縦方向に配置される。
【００４４】
放出デバイス１５０の下流では、別の糸ガイドデバイス１６０が設けられる。糸２０の位置が、それが放出デバイス１５０に沿って移動する間適正であるように、第２の糸ガイドデバイス１６０は第１の糸ガイドデバイス１４０と連携する。第２の糸ガイドデバイス１６０はまたその縦方向軸に沿って糸２０の回転を引き起こすよう設計され得るが、第２の糸ガイドデバイス１６０は、例えば１つ以上のガイドローラ１６２、１６４の形状であり得る。以下でまた説明するように、この付加的な機能は着色について利点を提供し得る。
【００４５】
そして、糸２０は前方に供給され、糸２０に処理物質を固定させるために提供される１つ以上の固定ユニット１７０を通過する。処理物質、例えば着色物質が糸２０上に硬化または固定されるよう、固定ユニット１７０は好ましくは、熱風供給要素または加熱した要素、またはＵＶ光源等の加熱手段を備える。図５に示すように、固定ユニット１７０は、水平方向に、鉛直方向に、または水平方向と鉛直方向の間の角度において配置され得る。
【００４６】
ハウジング１０５から出る前に、糸２０は、超音波浴等のクリーニングユニット１８０を通過し、ここで不要な粒子が糸２０から取り除かれる。処理物質が糸２０に固定されているので、クリーニングユニット１８０は、処理物質が影響を受けないようにする。
【００４７】
処理ユニット１００はハウジング１０５の内側に配置された潤滑ユニット１８５をさらに備え得る。糸の経路の様々な位置に配置された、追加の糸緩衝装置と糸供給装置（図示せず）とがまた、処理ユニット１００内に含まれ得る。
【００４８】
糸２０は好ましくは開口部または類似のものを通って処理ユニット１００を出て、これにより糸２０は、図３ａ〜ｂに示すように、刺繍機１５等の関連付けられた糸消費デバイスへ送られる。
【００４９】
動作の間、糸２０と係合する糸供給装置１３０と他の構成要素は、好ましくは、処理ユニット１００から糸２０を引っ張るのに必要な力、すなわち、下流の刺繍機１５によって付与された引張力が、処理ユニット１００が従来技術の糸駒と取って代わられたときとほとんど同じであるよう構成される。
【００５０】
また、電力エレクトロニクス、通信モジュール、メモリ等の関連エレクトロニクスを有する制御ユニット１９０がまた提供される。制御ユニット１９０は、糸供給装置１３０と、放出デバイス１５０と、固定ユニット１７０とに接続され、これらの構成要素の動作の制御を可能にする。さらに、制御ユニット１９０は、クリーニングユニット１８０と、潤滑ユニット１８５と、糸２０の分断と、処理ユニット１００に沿った糸の様々な位置での速度と、糸緩衝装置等を含む処理ユニット１００全体の動作の制御をするよう構成される。制御ユニット１９０は、処理ユニット１００の１つ以上の構成要素から、例えば、特定の制御の引き金となる制御信号、または例えば刺繍機１５による糸の消費に関連する他の情報を受けるよう構成され得る。
【００５１】
ユーザインターフェースがまた、好ましくはハウジング１０５の前端部に配置されたディスプレイ１９５を介して提供される。糸供給装置１３０、放出デバイス１５０、固定ユニット１７０等の制御パラメータがプロセス仕様によって設定され得るよう、ディスプレイ１９５は、ユーザが制御ユニット１９０と相互作用し、したがってそこに接続することを可能にする。ディスプレイ１９５はまた、好ましくは、危機的状況にあるユーザに警告するために使用され得、これによりディスプレイ１９５を制御ユニット１９０に関して使用して警告音または同様のものを発し得る。
【００５２】
上述した構成要素が、スタンドアロンの処理ユニット１００に必ずしも含まれ得ないが、代わりに、処理ユニット１００の構成要素は、少なくとも１つのユニットがスタンドアロンユニットであるいくつかのユニットに分けられ得ることに留意すべきである。好ましくは、スタンドアロンユニットは少なくとも放出デバイス１５０と、隣接する糸ガイドデバイス１４０、１６０とを含む。
【００５３】
図６を参照して放出デバイス１５０の実施例をさらに説明する。図６において、放出デバイス１５０が複数のノズルアレイ１５１ａ〜ｄを有するインクジェットノズルヘッドとして形成される実施形態を示す。各ノズルアレイ１５１ａ〜ｄは、例えば何千個ものノズルを備えるインクジェットノズルアレイであり得る。１つのノズルアレイ１５１ａ用の６つのノズル１５２ａ〜ｆを例示目的限定で示す。しかしながら、各ノズルアレイ１５１ａ〜ｄにはそれぞれ何千個ものノズル１５２が設けられ得ることは理解されるべきである。実施例として、各ノズルアレイ１５１ａ〜ｄは、ＣＭＹＫ標準に従って例示した単一の色に関連付けられ得る。しかしながら、他の着色モデルもまた使用され得る。また、ノズルアレイ１５１ａ〜ｄを、処理ユニット１００内で別個のユニットとして配置することも可能であり得る。
【００５４】
この実施形態では、各ノズル１５２ａ〜ｆはＣＭＹＫカラーモデルによる色を有するコーティング物質を分配し、ここで原色はシアンと、マゼンタと、イエローと、ブラックとである。したがって、糸２０の特定の長さの全体の着色物質がノズル１５２ａ〜ｆによって分配された着色物質の混合物となるよう、ノズル１５２ａ〜ｆを作動させることにより多種多様な色を糸上に分配することが可能であり得る。別の実施形態では、各ノズル１５２ａ〜ｆはＣＭＹＫカラーモデルの２つ以上の原色の混合物を備える色を有するコーティング物質を分配する。
【００５５】
制御ユニット１９０は、糸２０が処理ユニット１００を通るときにコーティング物質が糸２０上に放出されるようノズル１５２ａ〜ｆの起動を制御するよう構成される。そのような構成により、例えば処理ユニット１００によって提供された着色によって視覚的に非常に洗練された高度な刺繍パターンを提供するため、例えば糸２０の非常に正確な着色が可能である。
【００５６】
特定の実施形態を参照して本発明を以上説明したが、本発明はここで説明した特定のものに限定されることを意図したものではない。むしろ、本発明は添付の特許請求の範囲によってのみ限定される。
【００５７】
特許請求の範囲では、「含む（ｃｏｍｐｒｉｓｅｓ／ｃｏｍｐｒｉｓｉｎｇ）」という用語は、他の要素またはステップの存在を除外するものではない。さらに、個々の特徴が異なる請求項に含まれることもあるが、これらの特徴を組み合わせ得ることも有利であり、かつ異なる請求項に含むことは、特徴の組み合わせが実行可能でないおよび／または有利でないことを暗示するものではない。さらに、単数引用は、複数を除外しない。「１つ（ａ，ａｎ）」、「第１」、「第２」等の用語は、複数を除外しない。特許請求の範囲の参照記号は、単に、明確な例として提供されるものであり、如何なる場合にも、特許請求の範囲を限定するものと解釈されるべきではない。
【図１】
2019529723.tif 000003
【図２】
2019529723.tif 000004
【図３ａ】
2019529723.tif 000005
【図３ｂ】
2019529723.tif 000006
【図４】
2019529723.tif 000007
【図５】
2019529723.tif 000008
【図６】
2019529723.tif 000009
【国際調査報告】
2019529723.tif 000010
2019529723.tif 000011
2019529723.tif 000012
2019529723.tif 000013